(57)【要約】【課題】  本発明は、鉄骨住宅の基礎となる鉄筋コンクリート上に高さレベル調整用仮設金物を設置し、その上に水平梁を仮置きして設置することで柱材を安定して建て込むことが出来る免震住宅及びその施工方法を提供することを可能にすることを目的としている。【解決手段】  鉄骨住宅の基礎となる鉄筋コンクリート３上に高さレベル調整用仮設金物５を設置し、該高さレベル調整用仮設金物５上に水平梁12を仮置きして設置し、該水平梁12の端部に免震装置２の動部２ｂを下端に設けた柱材14を該動部２ｂと鉄筋コンクリート３上に設けた免震装置２の受け部２ａとが接するように建て込んで水平梁12の端部に固定して免震装置２の上部骨組みを形成することを特徴とする。【選択図】      図２
2008156987.tif 000002
【特許請求の範囲】
【請求項１】
鉄骨住宅の基礎となる鉄筋コンクリート上に高さレベル調整用仮設金物を設置し、該高さレベル調整用仮設金物上に水平梁を仮置きして設置し、該水平梁の端部に柱材を前記鉄筋コンクリートに固定された免震装置上に接するように建て込んで前記水平梁の端部に固定して前記免震装置の上部骨組みを形成することを特徴とした免震住宅の施工方法。
【請求項２】
鉄骨住宅の基礎となる鉄筋コンクリート上に高さレベル調整用仮設金物を設置し、該高さレベル調整用仮設金物上に水平梁を仮置きして設置し、該水平梁の端部に免震装置の動部を下端に設けた柱材を該動部と前記鉄筋コンクリート上に設けた免震装置の受け部とが接するように建て込んで前記水平梁の端部に固定して前記免震装置の上部骨組みを形成することを特徴とした免震住宅の施工方法。
【請求項３】
前記柱材と前記水平梁の端部との接合部は、前記水平梁の端部にエンドプレートを設けて前記柱材に接合したことを特徴とした請求項１または請求項２に記載の免震住宅の施工方法。
【請求項４】
前記高さレベル調整用仮設金物は、前記鉄骨住宅の基礎となる鉄筋コンクリートに仮固定されたことを特徴とする請求項１または請求項２に記載の免震住宅の施工方法。
【請求項５】
前記高さレベル調整用仮設金物は、３次元方向の位置が調整可能な位置調整手段を有することを特徴とする請求項１〜４の何れか１項に記載の免震住宅の施工方法。
【請求項６】
前記免震装置の上部骨組みを形成した後、前記高さレベル調整用仮設金物を撤去することを特徴とする請求項１〜５の何れか１項に記載の免震住宅の施工方法。
【請求項７】
柱材と水平梁が固定され、該柱材の下端部に免震装置を設け、該免震装置が鉄骨住宅の基礎となる鉄筋コンクリート上に滑動自在に載置されたことを特徴とする免震住宅。
【請求項８】
柱材と水平梁が固定され、該柱材の下端部に免震装置の動部を設け、該動部が鉄骨住宅の基礎となる鉄筋コンクリート上に設けた免震装置の受け部上に滑動自在に載置されたことを特徴とする免震住宅。
【請求項９】
前記免震装置の受け部が鉄骨住宅の基礎となる鉄筋コンクリート上に設けられたことを特徴とする請求項７または請求項８に記載の免震住宅。
【請求項１０】
前記免震装置の動部が鉄骨造の構造躯体の柱材の下端部に設けられたことを特徴とする請求項７または請求項８に記載の免震住宅。
【発明の詳細な説明】
【技術分野】
【０００１】
本発明は、免震住宅及びその施工方法に関するものである。
【背景技術】
【０００２】
免震構造は免震装置がある層の相関変位を大きくすることで、地震の揺れを建物に伝え難くする構造である。免震建物は基礎と建物の間に免震装置を配置した構造となっている。そのため施工手順としては基礎工事のあと免震装置を設置し、その上に鉄骨架台、ＲＣ（鉄筋コンクリート）架台を設置する施工方法がなされる。
【０００３】
免震構造は免震層の変位を大きくすることで、地震の揺れを建物に伝え難くする構造であるため基礎と上部構造の固定度は耐震の場合に比べると非常に小さい。耐震の場合、基礎から突出したアンカーボルトに固定するため柱を自立させた建て方を行うことが出来る。これに対して免震の場合は固定度が非常に小さいため柱を自立させることが非常に困難である。そのため、免震装置の設置後、鉄骨架台を組んでその上に接合部を設けて柱を建てることが一般的に行われている。
【０００４】
例えば、特開２００３−２９３４５３号公報（特許文献１）に記載された建築施工方法は、間隔を隔てて独立の基礎を施工した後、隣接する基礎の上を水平梁で連結し、この水平梁の上に柱部材を建てこむこと、およびその下に免震機構を設けることが記載されている。
【０００５】
【特許文献１】特開２００３−２９３４５３号公報
【発明の開示】
【発明が解決しようとする課題】
【０００６】
しかしながら、前述の特許文献１の技術では、鉄骨架台を組んでその上に接合部を設けるので手数がかかりコストアップになる。
【０００７】
本発明は前記課題を解決するものであり、その目的とするところは、鉄骨住宅の基礎となる鉄筋コンクリート上に高さレベル調整用仮設金物を設置し、その上に水平梁を仮置きして設置することで柱材を安定して建て込むことが出来る免震住宅及びその施工方法を提供せんとするものである。
【課題を解決するための手段】
【０００８】
前記目的を達成するための本発明に係る免震住宅の施工方法の第１の構成は、鉄骨住宅の基礎となる鉄筋コンクリート上に高さレベル調整用仮設金物を設置し、該高さレベル調整用仮設金物上に水平梁を仮置きして設置し、該水平梁の端部に柱材を前記鉄筋コンクリートに固定された免震装置上に接するように建て込んで前記水平梁の端部に固定して前記免震装置の上部骨組みを形成することを特徴とする。
【０００９】
また、本発明に係る免震住宅の施工方法の第２の構成は、鉄骨住宅の基礎となる鉄筋コンクリート上に高さレベル調整用仮設金物を設置し、該高さレベル調整用仮設金物上に水平梁を仮置きして設置し、該水平梁の端部に免震装置の動部を下端に設けた柱材を該動部と前記鉄筋コンクリート上に設けた免震装置の受け部とが接するように建て込んで前記水平梁の端部に固定して前記免震装置の上部骨組みを形成することを特徴とする。
【００１０】
また、本発明に係る免震住宅の施工方法の第３の構成は、前記第１、第２の構成において、前記柱材と前記水平梁の端部との接合部は、前記水平梁の端部にエンドプレートを設けて前記柱材に接合したことを特徴とする。
【００１１】
また、本発明に係る免震住宅の施工方法の第４の構成は、前記第１、第２の構成において、前記高さレベル調整用仮設金物は、前記鉄骨住宅の基礎となる鉄筋コンクリートに仮固定されたことを特徴とする。
【００１２】
また、本発明に係る免震住宅の施工方法の第５の構成は、前記第１〜第４の構成において、前記高さレベル調整用仮設金物は、３次元方向の位置が調整可能な位置調整手段を有することを特徴とする。
【００１３】
また、本発明に係る免震住宅の施工方法の第６の構成は、前記第１〜第５の構成において、前記免震装置の上部骨組みを形成した後、前記高さレベル調整用仮設金物を撤去することを特徴とする。
【００１４】
また、本発明に係る免震住宅の第１の構成は、柱材と水平梁が固定され、該柱材の下端部に免震装置を設け、該免震装置が鉄骨住宅の基礎となる鉄筋コンクリート上に滑動自在に載置されたことを特徴とする。
【００１５】
また、本発明に係る免震住宅の第２の構成は、柱材と水平梁が固定され、該柱材の下端部に免震装置の動部を設け、該動部が鉄骨住宅の基礎となる鉄筋コンクリート上に設けた免震装置の受け部上に滑動自在に載置されたことを特徴とする。
【００１６】
また、本発明に係る免震住宅の第３の構成は、前記第１、第２の構成の免震住宅において、前記免震装置の受け部が鉄骨住宅の基礎となる鉄筋コンクリート上に設けられたことを特徴とする。
【００１７】
また、本発明に係る免震住宅の第４の構成は、前記第１、第２の構成の免震住宅において、前記免震装置の動部が鉄骨造の構造躯体の柱材の下端部に設けられたことを特徴とする。
【発明の効果】
【００１８】
本発明に係る免震住宅の施工方法の第１、第２の構成によれば、鉄骨住宅の基礎となる鉄筋コンクリート上に高さレベル調整用仮設金物を設置し、その上に水平梁を仮置きして設置することで柱材を安定して建て込むことが出来、これにより、従来のように鉄骨架台を組んでその上に接合部を設ける必要がなくなるのでコストダウンが図れる。
【００１９】
また、本発明に係る免震住宅の施工方法の第３の構成によれば、水平梁の端部に設けたエンドプレートを利用して柱材に容易に接合することが出来る。
【００２０】
また、本発明に係る免震住宅の施工方法の第４の構成によれば、高さレベル調整用仮設金物を鉄骨住宅の基礎となる鉄筋コンクリートに仮固定することで水平梁を安定して支持することが出来、水平梁と柱材とを接合した後は高さレベル調整用仮設金物を容易に除去することが出来る。
【００２１】
また、本発明に係る免震住宅の施工方法の第５の構成によれば、高さレベル調整用仮設金物が３次元方向の位置が調整可能な位置調整手段を有することにより高さ方向及び水平方向の位置調整が容易に出来る。
【００２２】
また、本発明に係る免震住宅の施工方法の第６の構成によれば、免震装置の上部骨組みを形成した後、高さレベル調整用仮設金物を容易に撤去することが出来る。
【００２３】
また、本発明に係る免震住宅の第１の構成によれば、柱材と水平梁が固定され、該柱材の下端部に免震装置を設け、該免震装置が鉄骨住宅の基礎となる鉄筋コンクリート上に滑動自在に載置されたことで免震装置の設置が容易で免震機能を有する免震住宅とすることが出来る。
【００２４】
また、本発明に係る免震住宅の第２の構成によれば、柱材と水平梁が固定され、該柱材の下端部に免震装置の動部を設け、該動部が鉄骨住宅の基礎となる鉄筋コンクリート上に設けた免震装置の受け部上に滑動自在に載置されたことで免震装置の設置が容易で免震機能を有する免震住宅とすることが出来る。
【００２５】
また、本発明に係る免震住宅の第３の構成によれば、免震装置の受け部が鉄骨住宅の基礎となる鉄筋コンクリート上に設けられた免震住宅とすることが出来る。
【００２６】
また、本発明に係る免震住宅の第４の構成によれば、免震装置の動部が鉄骨造の構造躯体の柱材の下端部に設けられた免震住宅とすることが出来る。
【発明を実施するための最良の形態】
【００２７】
図により本発明に係る免震住宅及びその施工方法の一実施形態を具体的に説明する。図１は本発明に係る免震住宅の施工方法により施工された免震住宅の構成を示す平面及び断面説明図、図２は本発明に係る免震住宅の施工方法を説明する図、図３は高さレベル調整用仮設金物の構成を示す図である。
【００２８】
図１〜図３において、鉄骨造の構造躯体を有する免震住宅１の基礎となる鉄筋コンクリート３上には、免震装置２を構成する受け部２ａが該鉄筋コンクリート３に埋設されたアンカーボルト４に固定されている。鉄筋コンクリート３上には、図３に示すように、３次元方向の位置が調整可能な位置調整手段を有する高さレベル調整用仮設金物５が仮固定される。
【００２９】
高さレベル調整用仮設金物５は、図３に示すように、断面コ字形状の下部架台６と、該下部架台６に嵌合する断面コ字形状の上部架台７とを有して構成される。下部架台６の底片６ａには鉄筋コンクリート３に埋設されたアンカーボルト４が挿通され、該底片６ａの長手方向に長く一端が開放された長穴6a1が形成されており、該下部架台６の底片６ａに接続された一対の起立片６ｂの長手方向中央部には、ボルト８が挿通される貫通孔6ｂ1が形成されている。
【００３０】
一方、上部架台７の天片７ａは下部架台６の底片６ａの幅寸法よりも大きな幅寸法を有して構成されており、該天片７ａの長手方向の一端部には断面Ｌ字形状のグリップ部13が溶接等により取り付けられている。また天片７ａの長手方向の他端部には貫通孔7a2が形成されている。天片７ａの貫通孔7a2に対応する位置には断面Ｚ字形状のグリップ部材９が当接され、該グリップ部材９に設けられた貫通孔９ｂ及び天片７ａの貫通孔7a2にボルト８を挿通し、ナット10を螺合締結することでグリップ部材９が天片７ａに固定される。
【００３１】
上部架台７の天片７ａに接続された一対の垂下片７ｂの長手方向中央部で下部架台６の起立片６ｂに形成された貫通孔6b1に対応する位置には上下方向に長い長穴7b1が形成されている。そして、ボルト８を垂下片７ｂの長穴7b1及び起立片６ｂの貫通孔6b1に挿通してナット10を螺合締結することにより上部架台７が下部架台６に固定される。
【００３２】
高さレベル調整用仮設金物５は３次元方向の位置が調整可能な位置調整手段としては、下部架台６の起立片６ｂの貫通孔6b1に挿通されたボルト８に対して上部架台７を垂下片７ｂに形成された長穴7b1に沿って上下方向に移動させて上部架台７の天片７ａの高さ位置を調整することが出来、更に鉄筋コンクリート３から突出したアンカーボルト４に対して下部架台６を底片６ａに形成された長穴6a1に沿って水平方向に移動させて上部架台７の天片７ａの水平方向の位置を調整することが出来る。
【００３３】
鉄筋コンクリート３上に高さレベル調整用仮設金物５を仮固定する場合、先ず、下部架台６の底片６ａに形成された長穴7b1に鉄筋コンクリート３から突出したアンカーボルト４を挿通し、該アンカーボルト４に角ワッシャ11の貫通孔を挿通してナット10を螺合締結する。
【００３４】
次に免震架台となる水平梁12を設置し、下部架台６に対する上部架台７の高さ位置を該上部架台７の垂下片７ｂに形成した長穴7b1を利用して調整し、該長穴7b1及び下部架台６の起立片６ｂに形成した貫通孔6b1に挿通したボルト８にナット10を螺合締結して上部架台７を下部架台６に固定する。これにより鉄筋コンクリート３上に高さレベル調整用仮設金物５を仮固定することが出来る。
【００３５】
次に図３（ｂ）に示すように、高さレベル調整用仮設金物５の上部架台７の天片７ａ上に水平梁12を仮置きして設置する。水平梁12を上部架台７の天片７ａ上に載置する際には、図３（ａ）に示すように、グリップ部材９を取り外した状態で、天片７ａの長手方向の一端部に設けたグリップ部13の水平片13ａと上部架台７の天片７ａとの間に水平梁12の下フランジ12ａの一方側を挿入し、該下フランジ12ａの他方側の上部をグリップ部材９の水平片９ａが覆うようにして該グリップ部材９に設けられた貫通孔９ｂ及び天片７ａの貫通孔7a2にボルト８を挿通し、ナット10を螺合締結してグリップ部材９を天片７ａに固定することで水平梁12の下フランジ12ａが上部架台７の天片７ａに設けられたグリップ部13とグリップ部材９とにより拘束される。
【００３６】
図２（ａ），（ｂ）に示すように、高さレベル調整用仮設金物５の上部架台７上に仮置きされた水平梁12の端部に免震装置２の動部２ｂを下端に設けた柱材14を該動部２ｂと鉄筋コンクリート３上に設けた免震装置２の受け部２ａとが接するように建て込んで水平梁12の端部に固定して免震装置２の上部骨組みを形成する。柱材14はその下部に水平梁12と接合するための接続金物を設けて一体化した柱材でも良い。
【００３７】
本実施形態の水平梁12の端部にはエンドプレート15が設けられており、柱材14と水平梁12の端部に設けられたエンドプレート15とがボルト止めにより接合固定される。
【００３８】
また、高さレベル調整用仮設金物５の上部架台７の天片７ａ上に水平梁12を仮置きした状態で図示しない復元ゴムが水平梁12の下フランジ12ａと鉄筋コンクリート３との間に設置される。復元ゴムの両端部には図示しない上下フランジが設けられており、該上フランジを水平梁12の下フランジ12ａの下面に当接してボルト止めすると共に、図示しない下フランジに形成された貫通孔に鉄筋コンクリート３に埋設されたアンカーボルト４を挿通してナットを螺合締結することにより復元ゴムが固定される。
【００３９】
上述のようにして免震装置２の上部骨組みを形成した後、図２（ｃ）に示すように、高さレベル調整用仮設金物５を撤去する。高さレベル調整用仮設金物５を撤去する場合には、図３に示すボルト８、ナット10を緩めてグリップ部材９を取り外すと共に、上部架台７を下部架台６から取り外し、アンカーボルト４に締結したナット10を緩めて下部架台６を取り外すことで高さレベル調整用仮設金物５を容易に撤去することが出来る。
【００４０】
このように、本実施形態の免震住宅１は、鉄骨造の構造躯体の柱材14と水平梁12が固定され、該柱材14の下端部に免震装置２の動部２ｂを設け、該動部２ｂが鉄筋コンクリート３上に設けた免震装置２の受け部２ａ上に滑動自在に載置される。
【００４１】
上記構成によれば、鉄筋コンクリート３上に高さレベル調整用仮設金物５を設置し、その上に水平梁12を仮置きして設置することで柱材14を安定して建て込むことが出来、これにより、従来のように鉄骨架台を組んでその上に接合部を設ける必要がなくなるのでコストダウンが図れる。
【００４２】
また、水平梁12の端部に設けたエンドプレート15を利用して柱材14に容易に接合することが出来、高さレベル調整用仮設金物５を鉄筋コンクリート３に仮固定することで水平梁12を安定して支持することが出来、該水平梁12と柱材14とを接合した後は高さレベル調整用仮設金物５を容易に除去することが出来る。
【００４３】
また、高さレベル調整用仮設金物５が３次元方向の位置が調整可能な位置調整手段を有することにより高さ方向及び水平方向の位置調整が容易に出来、地盤、基礎天端の高さレベルの不揃いや、鉄筋コンクリート３に埋設したアンカーボルト４の設置位置の誤差を許容することが出来る。また、柱材14を取り付ける際のクリアランス（あそび）を確保することも出来る。免震装置２の上部骨組みを形成した後、高さレベル調整用仮設金物５を容易に撤去することが出来る。
【００４４】
また、柱材14と水平梁12が固定され、該柱材14の下端部に免震装置２の動部２ｂを設け、該動部２ｂが鉄筋コンクリート３上に設けた免震装置２の受け部２ａ上に滑動自在に載置されたことで免震装置２の設置が容易で免震機能を有する免震住宅１とすることが出来る。
【００４５】
尚、前記実施形態では、柱材14の下端部に設けた動部２ｂが鉄筋コンクリート３上に設けた受け部２ａ上に滑動自在に載置された免震装置２の一例について説明したが、滑りによる免震以外の免震装置を採用することも出来、その場合の免震住宅２としては、柱材14と水平梁12が固定され、該柱材14の下端部に免震装置を設け、該免震装置が鉄骨住宅の基礎となる鉄筋コンクリート３上に滑動自在に載置され、その施工方法としては、鉄骨住宅の基礎となる鉄筋コンクリート３上に高さレベル調整用仮設金物５を設置し、該高さレベル調整用仮設金物５上に水平梁12を仮置きして設置し、該水平梁12の端部に柱材14を鉄筋コンクリート３に固定された免震装置上に接するように建て込んで水平梁12の端部に固定して該免震装置の上部骨組みを形成することが出来る。
【産業上の利用可能性】
【００４６】
本発明の活用例として、免震住宅及びその施工方法に適用出来る。
【図面の簡単な説明】
【００４７】
【図１】本発明に係る免震住宅の施工方法により施工された免震住宅の構成を示す平面及び断面説明図である。
【図２】本発明に係る免震住宅の施工方法を説明する図である。
【図３】高さレベル調整用仮設金物の構成を示す図である。
【符号の説明】
【００４８】
１…免震住宅
２…免震装置
２ａ…受け部
２ｂ…動部
３…鉄筋コンクリート
４…アンカーボルト
５…高さレベル調整用仮設金物
６…下部架台
６ａ…底片
6a1…長穴
６ｂ…起立片
6b1…貫通孔
７…上部架台
７ａ…天片
7a1…グリップ部
7a2…ネジ孔
７ｂ…垂下片
7b1…長穴
８…ボルト
９…グリップ部材
９ａ…水平片
９ｂ…貫通孔
10…ナット
11…角ワッシャ
12…水平梁
12ａ…下フランジ
13…グリップ部
13ａ…水平片
14…柱材
15…エンドプレート
【図１】
2008156987.tif 000003
【図２】
2008156987.tif 000004
【図３】
2008156987.tif 000005